(57)【要約】      （修正有）【課題】使用者の希望や使用状況に応じて化粧料容器先端を傾動自在として、収容する化粧料を迅速かつ確実に塗布するとともに、携帯性を向上させる。【解決手段】前軸筒２及び後軸筒１３とから構成され、該前軸筒２には、その先端に塗布部１０を保持する塗布具３を内装し、該後軸筒１３には、前記前軸筒２に内装される塗布具３を収容する空間１４を形成するものであって、該後軸筒１３に対して前軸筒２を傾動自在となるように連結することにより、使用者の好みや使用状況に合わせて、前軸筒を後軸筒に対して傾動させることで持ち手の位置が身体に近づいて下方へ位置するので、塗布部位を正確に把握できるとともに、狭いスペースでの化粧を迅速且つ正確に行うことができるものである。【選択図】図３
2019126345.tif 000002
【特許請求の範囲】
【請求項１】
前軸筒及び後軸筒とから構成され、
該前軸筒には、液状化粧料、又は芯状化粧料を塗布する塗布具を内装し、
該後軸筒には、前軸筒に内装される塗布具を収容する空間を形成するものであって、
該後軸筒に対して前軸筒が傾動自在となるように連結してなる
ことを特徴とする化粧料容器。
【請求項２】
上記後軸筒に対して、前軸筒を傾動自在となるように連結するにあたって、前記後軸筒と前軸筒とを、後軸筒に対して前軸筒を傾動自在且つ固定自在となる連結装置を以て連結してなる
ことを特徴とする請求項１に記載の化粧料容器。
【発明の詳細な説明】
【技術分野】
【０００１】
本願発明は、例えばアイライナー、アイブロー等の液状化粧料又は芯状化粧料（以下、「化粧料」という。）を収容するとともに、該化粧料の塗布をも行う化粧料容器に関する。
【背景技術】
【０００２】
上記化粧料を収容し、塗布をも行う化粧料容器は、例えば外出時の携帯性を考慮して、直線的な筒状となるものが一般的である。
そのため、上記化粧料容器の使用時には、塗布部位に対して塗布部を正面方向から当接させるので、鏡を見ながら化粧料の塗布を行おうとすると、化粧料容器を持つ手が塗布部位を邪魔して正確に把握できなくなることがある。
【０００３】
そこで、使用者の好み又は作業空間の広狭などの使用状況に応じて化粧料の塗布を迅速且つ正確に行えるように、化粧料容器先端の直接塗布部位に当接する塗布部のみを該化粧料容器の軸線に対して角度を有する様に曲げるもの（特許文献１参照）や、化粧料容器先端を塗布部も含めて該化粧料容器の軸線に対して角度を有する様に曲げるものが提案されている。
【０００４】
しかしながら、上記化粧料容器において、化粧料容器先端の直接塗布部位に当接する塗布部のみを該化粧料容器の軸線に対して角度を有する様に曲げるものでは、化粧料容器を持つ手が下方へ位置するようになって塗布部位を正確に把握できるものであるとともに、化粧料容器全体としては直線的な筒状となるので外出時における携帯性も従来通り維持される反面、キャップを装着すると、該キャップ内面等に塗布部が接触し易いのでキャップ内面ばかりでなく手まで汚損してしまうことがある。
【０００５】
さらに、化粧料容器先端を塗布部も含めて該化粧料容器の軸線に対して角度を有する様に曲げるものでは、化粧料容器を持つ手が下方へ位置するようになって塗布部位を正確に把握できるものであるとともに、キャップを離脱すれば迅速に化粧料の塗布を行うことができる反面、化粧料容器全体としての形状が変形しているので、外出時にポーチなどへ収納すると収まりが悪くなって携帯性が低下するとともに、他の物品と衝突してキャップが外れ易く、ポーチなどの内部を汚損してしまうおそれがある。
【先行技術文献】
【特許文献】
【０００６】
【特許文献１】特開２０１７−１５３６７６号公報
【発明の概要】
【発明が解決しようとする課題】
【０００７】
そこで、使用者の好みや使用状況に応じて化粧料容器先端を屈曲させ、固定可能とすることで、化粧料の塗布作業を迅速かつ正確に行えるようにするとともに、外出時の携帯性を向上させようとするものである。
【課題を解決するための手段】
【０００８】
第１の特徴として、
前軸筒及び後軸筒とから構成され、
該前軸筒には、液状化粧料、又は芯状化粧料を塗布する塗布具を内装し、
該後軸筒には、前軸筒に内装される塗布具を収容する空間を形成するものであって、
該後軸筒に対して前軸筒が傾動自在となるように連結してなるものである。
【０００９】
そのため、使用者が化粧料の塗布を行うにあたり、使用者の好み又は使用状況に応じて塗布具を最適な傾動状態にできるので、例えば前軸筒と後軸筒とを軸線が一致するように直線状態とすれば、通常の化粧料容器として化粧料の塗布を迅速且つ正確に行うことができる。
【００１０】
また、鏡に映したとき塗布部位が手で隠れてしまったり、外出時において化粧料の塗布作業の空間を広く確保できない場合には、後軸筒に対して前軸筒を軸線が一致しない傾動状態とすると、化粧料容器を持つ手の位置が折り畳まれることで身体に近づくように下方へ移動するので、手で隠されてしまう塗布部位を正確に把握できるようになるとともに、狭い空間でも化粧料の塗布を迅速かつ正確に行うこともできる。
【００１１】
なお、外出時に化粧料容器を携帯しようとする際には、前軸筒と後軸筒とを直線状態とすることで、ポーチなどにおいて収納が確実でき、携帯性をも向上させることができるものである。
【００１２】
第１の特徴を踏まえて、第２の特徴として、
上記後軸筒に対して、前軸筒を傾動自在となるように連結するにあたって、前記後軸筒と前軸筒とを、後軸筒に対して前軸筒を傾動自在且つ固定自在となる連結装置を以て連結してなるものである。
【００１３】
そのため、上記連結装置によって後軸筒に対して前軸筒は軸線が一致する直線状態又は軸線が一致しない傾動状態に強固に維持されるので、化粧料を塗布するにあたって化粧料容器を持つ手に不要な力が入ってしまっても、前軸筒が後軸筒に対して傾動してしまったり、又直線状になってしまうことがなく、より迅速且つ正確に行うことができるものである。
【発明の効果】
【００１４】
本願発明は、塗布具を内装する前軸筒を、前軸筒に内装される塗布具を収容する空間を形成する後軸筒に対して傾動自在とすることによって、使用者の好み又は使用状況に応じて直線状態又は傾動状態になるので、迅速且つ正確に化粧料の塗布作業を行うことができるとともに、外出時に収納するにあたっては化粧料容器を直線状態とすることで携帯性をも向上させることができる優れた効果を有するものである。
【図面の簡単な説明】
【００１５】
【図１】図１は、本願発明の実施例１の化粧料容器の全体側面図である。
【図２】図２は、本願発明の実施例１の化粧料容器の全体縦断面図である。
【図３】図３は、本願発明の実施例１の化粧料容器の使用時における作動状態を示す図である。
【図４】図４は、本願発明の実施例２の化粧料容器の使用時における作動状態を示す図である。
【図５】図５は、本願発明の実施例３の化粧料容器の使用時における作動状態を示す図である。
【発明を実施するための形態】
【００１６】
化粧料容器を構成し、塗布体を内装する前軸筒を後軸筒に対して傾動自在とすることで、化粧料の塗布作業を使用者の希望又は使用状況に応じて迅速かつ正確に行えるようにするとともに、外出時の携帯性をも向上させるものである。
【実施例１】
【００１７】
図１乃至図３において示すのは、本願発明の実施例１である化粧料容器１であり、該化粧料容器１は、前軸筒２と後軸筒１３とから構成されるものである。
ここで、該前軸筒２は、脱着自在となり、スプリング６により弾発性を有する中栓５を内装するキャップ４を装着するとともに、液状化粧料７を塗布する塗布具３を内装するものであって、該前軸筒２に内装される塗布具３は、後端に嵌着される尾栓９により形成される貯留部８内に貯留する液状化粧料７を、その先端において保持される筆状の塗布部１０へ、オーバーフローの防止や円滑な液状化粧料７の供給を可能とするアジャスター１１を外装する中継芯１２により連通して供給するものである。
【００１８】
また、該後軸筒１３には、前軸筒２に内装される塗布具３を収納可能とする空間１４が形成されているものである。
【００１９】
その上で、上記前軸筒２と後軸筒１３とは、後軸筒１３前端に形成される軸受け穴１５と前軸筒２の略中央に形成され、前記軸受け穴１５に対して回転自在、且つ固定自在となるように軸着される回転軸１６とからなる連結装置１７によって連結されているものである。
【００２０】
以上のように本願発明の実施例１である化粧料容器１は構成されるので、液状化粧料７を塗布するにあたっては次のようにするものである。
まず、広いスペースを確保でき、又は鏡に映る手の存在が気にならない場合には、前軸筒２と後軸筒１３とを軸線が一致する直線状態で、前軸筒２に装着されるキャップ４を離脱することで該前軸筒２に内装される塗布具３の筆状の塗布部１０が露出するので、使用者はそのまま塗布部１０によって液状化粧料７を塗布することができる。
【００２１】
また、狭いスペースしか確保できず、又は鏡に映る手の存在が気になる場合には、前軸筒２を後軸筒１３に対して軸線が一致しない傾動状態とした上で、前軸筒２に装着されるキャップ４を離脱することで該前軸筒２に内装される塗布具３の筆状の塗布部１０が露出するので、使用者は該塗布部１０によって液状化粧料７を塗布するものである。
このとき、塗布部１０は身体側に近づいて手の位置が下方へ変わるので、塗布部位を正確に把握できるとともに、作業空間も狭いスペースしか必要としないので、液状化粧料７を迅速かつ正確に塗布することができるものとなる。
【００２２】
そして、塗布部１０によって液状化粧料７を塗布した後は、再度キャップ４を装着することにより、塗布具３の塗布部１０はキャップ４内に内装され、弾性を有する中栓５によって密閉保持されるものとなる。
【００２３】
なお、外出時には、前軸筒２を後軸筒１３と軸線が一致する直線状態とすることで、ポーチなどへ化粧料容器１を収納しても他の物品と干渉することが少なくなり、携帯性が向上するものとなる。
【実施例２】
【００２４】
図４において示すのは、本願発明の実施例２である化粧料容器１ａであり、該化粧料容器１ａは、実施例１と同様の塗布具３ａを内装する前軸筒２ａと、該塗布具３ａを収納する空間１４ａを形成する後軸筒１３ａとから構成されるとともに、該前軸筒２ａと該後軸筒１３ａとは、後軸筒１３ａに対して前軸筒２ａが傾動自在となるように連結装置１７ａによって連結されているものである。
【００２５】
しかしながら、実施例２における、上記連結装置１７ａは、前軸筒２ａの後端と後軸筒１３ａの前端との間を、一方にはスライド溝１８内の両側に配置される複数の係止部１９に嵌着して固定される係止凸部（図示せず、以下同じ）を有するスライドスイッチ２０を有するとともに、他方にはその一部が折曲可能となるような折曲部２２を形成するロッド２１を介設してなるものである点で、実施例１の化粧料容器１とは相違するものである。
そのため、前軸筒２ａを後軸筒１３ａに対して傾動させるにあたっては、スライドスイッチ２０をスライド溝１８に沿ってスライドさせることで、ロッド２１の折曲部２２が折曲するとともに、該スライドスイッチ２０の係止凸部がスライド溝１８内の係止部１９に嵌着することで、傾動状態のまま固定されるものとなる。
【００２６】
以上のように本願発明の実施例２である化粧料容器１ａは構成されるので、液状化粧料（図示せず、以下同じ）を塗布するにあたっては次のようにするものである。
まず、広いスペースを確保でき、又は鏡に映る手の存在が気にならない場合には、スライドスイッチ２０をスライド溝１８内でスライドさせずに、前軸筒２ａと後軸筒１３ａとを軸線が一致する直線状態で前軸筒２ａに装着されるキャップ４ａを離脱することで、該前軸筒２ａに内装される塗布具３ａの筆状の塗布部１０ａが露出するので、使用者はそのまま塗布部１０ａによって液状化粧料を塗布することができる。
【００２７】
また、狭いスペースしか確保できず、又は鏡に映る手の存在が気になる場合には、スライドスイッチ２０をスライド溝１８内でスライドさせてロッド２１を折曲するとともに、スライドスイッチ２０の係止凸部を係止部１９に嵌着させて固定して前軸筒２ａを後軸筒１３ａに対して軸線が一致しない傾動状態とした上で、前軸筒２ａに装着されるキャップ４ａを離脱することで該前軸筒２ａに内装される塗布具３ａの塗布部１０ａが露出するので、使用者はそのまま筆状の塗布部１０ａによって液状化粧料を塗布するものである。
このとき、塗布部１０ａは身体側に近づいて手の位置が下方へ変わるので、塗布部位を正確に把握できるとともに、作業空間も狭いスペースしか必要としないので、液状化粧料を迅速かつ正確に塗布することができるものとなる。
【００２８】
そして、実施例１と同様に、塗布部１０ａによって液状化粧料を塗布した後は、再度キャップ４ａを装着することにより、塗布具３ａの塗布部１０ａはキャップ４ａ内に内装され、弾性を有する中栓（図示せず、以下同じ）によって密閉保持されるものとなる。
【００２９】
なお、外出時には、実施例１と同様に、前軸筒２ａを後軸筒１３ａと軸線が一致する直線状態とすることで、ポーチなどへ化粧料容器１ａを収納しても他の物品と干渉することが少なくなり、携帯性が向上するものとなる。
【実施例３】
【００３０】
図５において示すのは、本願発明の実施例３である化粧料容器１ｂであり、該化粧料容器１ｂは、実施例１と同様の塗布具３ｂを内装する前軸筒２ｂと、該塗布具３ｂを収納する空間１４ｂを形成する後軸筒１３ｂとから構成されるとともに、該前軸筒２ｂと後軸筒１３ｂとは、後軸筒１３ｂに対して前軸筒２ｂが傾動自在となるように連結装置１７ｂによって連結されているものである。
【００３１】
しかしながら、実施例３における上記塗布具３ｂが、繰り出し機構によって内部に収納する芯状化粧料（図示せず、以下同じ）を出没自在としてなるものである点で、実施例１又は２の化粧料容器１、１ａとは相違するものである。
【００３２】
以上のように本願発明の実施例３である化粧料容器１ｂは構成されるので、芯状化粧料を塗布するにあたっては次のようにするものである。
まず、広いスペースを確保でき、又は鏡に映る手の存在が気にならない場合には、前軸筒２ｂと後軸筒１３ｂとは軸線が一致する直線状態で、前軸筒２ｂに装着されるキャップ４ｂを離脱することで該前軸筒２ｂに内装される塗布具３ｂが露出し、さらに繰り出し機構を作動することにより芯状化粧料が突出するので、使用者は突出した芯状化粧料を塗布することができる。
【００３３】
また、狭いスペースしか確保できず、又は鏡に映る手の存在が気になる場合には、前軸筒２ｂを後軸筒１３ｂに対して軸線が一致しない傾動状態とした上で、前軸筒２ｂに装着されるキャップ４ｂを離脱することで該前軸筒２ｂに内装される塗布具３ｂ露出し、さらに繰り出し機構を作動することにより芯状化粧料が突出するので、使用者は突出した芯状化粧料を塗布するものである。
このとき、突出した芯状化粧料は身体側に近づいて手の位置が下方へ変わるので、塗布部位を正確に把握できるとともに、作業空間は狭いスペースしか必要としないので、芯状化粧料を迅速かつ正確に塗布することができるものとなる。
【００３４】
そして、芯状化粧料を塗布した後は、再度キャップ４ｂを装着することにより、塗布具３ｂは密閉保持されるものとなる。
【００３５】
なお、外出時には、前軸筒２ｂを後軸筒１３ｂと軸線が一致する直線状態となり、ポーチなどへ化粧料容器１ｂを収納しても他の物品と干渉することが少なくなり、携帯性が向上するものとなる。
【符号の説明】
【００３６】
１、１ａ、１ｂ    化粧料容器
２、２ａ、２ｂ    前軸筒
３、３ａ、３ｂ    塗布具
４、４ａ、４ｂ    キャップ
５    中栓
６    スプリング
７    液状化粧料
８    貯留部
９    尾栓
１０、１０ａ    （筆状の）塗布部
１１    アジャスター
１２    中継芯
１３、１３ａ、１３ｂ    後軸筒
１４、１４ａ、１４ｂ    空間
１５、１５ａ、１５ｂ    軸受け穴
１６、１６ａ、１６ｂ    回転軸
１７、１７ａ、１７ｂ    連結装置
１８    スライド溝
１９    係止部
２０    スライドスイッチ
２１    ロッド
２２    折曲部
【図１】
2019126345.tif 000003
【図２】
2019126345.tif 000004
【図３】
2019126345.tif 000005
【図４】
2019126345.tif 000006
【図５】
2019126345.tif 000007